(57)【要約】  メガネのフレーム及びテンプルを利用し、その限られたスペース内を有効利用して、複数の部品を露出させることなく振り分け埋設することにより、外観上の違和感をなくしたメガネ型音響・通信機器を提供することを課題とするものであって、フレーム１と、ヒンジ２を介してフレーム１の両端部に取り付けられる一対のテンプル３、４とから成り、フレーム１の両端部にはそれぞれプレート電極６、６ａが配置され、フレーム１内に、その一端部のプレート電極６、６ａと他端部のプレート電極６、６ａを結ぶリード線５、５ａが埋設され、各テンプル３、４内には、スピーカ、アンプ、バッテリー等の音響・通信機器を構成する部品が振り分けられて埋設される。一方のテンプル３内に配置されている部品と他方のテンプル４内に配置されている部品とは、フレーム１内のリード線５、５ａを介して電気的に接続されることを特徴とする。
2007099707.tif 000002
【特許請求の範囲】
【請求項１】
フレームと、ヒンジを介して前記フレームの両端部に取り付けられる一対のテンプルとから成り、
前記フレームの両端部にはそれぞれプレート電極が配置され、前記フレーム内に、その一端部のプレート電極と他端部のプレート電極を結ぶリード線が埋設され、
前記各テンプル内には、スピーカ、アンプ、バッテリー等の音響・通信機器を構成する部品が振り分けられて埋設され、
前記各テンプルの前記フレーム側端面に、前記テンプルが前記フレームに対して直交状態にあるときに前記プレート電極に当接するロッド電極が突設され、
前記各ロッド電極の一部は前記テンプル内に埋入され、その埋入端部が、前記テンプル内においてそこに埋設されている前記部品に接続され、
以て、一方の前記テンプル内に配置されている部品と他方の前記テンプル内に配置されている部品とが、電気的に接続可能にされたことを特徴とするメガネ型音響・通信機器。
【請求項２】
前記ロッド電極は、前記テンプルに対して長さ方向に移動可能に埋設される請求項１に記載のメガネ型音響・通信機器。
【請求項３】
前記ロッド電極の前記テンプル内埋入部分は、前記テンプルの端面に穿設されて弾性材が内装された差込孔内に挿入されて、常時前記弾性材によって外方向に付勢される請求項２に記載のメガネ型音響・通信機器。
【請求項４】
前記弾性材はスプリングである請求項３に記載のメガネ型音響・通信機器。
【請求項５】
前記ロッド電極の先端は、半球状である請求項１に記載のメガネ型音響・通信機器。
【請求項６】
前記テンプルは、前記ヒンジを介して前記フレームに着脱自在である請求項１に記載のメガネ型音響・通信機器。
【請求項７】
前記テンプルは、そのフレーム側端部の外側面を延長したカバー部を有する請求項１に記載のメガネ型音響・通信機器。
【請求項８】
前記ヒンジは２つの部分から構成され、その一方部が前記フレームに一体に形成され、その他方部が前記テンプルに一体に形成され、前記一方部と前記他方部は部分的に重合可能で、その重合部分にネジ込まれた軸ネジによって相互に回転可能に結合され、前記軸ネジを外すことによって前記テンプルが前記フレームから分離可能となる請求項１に記載のメガネ型音響・通信機器。
【発明の詳細な説明】
【技術分野】
【０００１】
本発明はメガネ型音響・通信機器、より詳細には、携帯電話機能や無線通信機能、あるいは、携帯オーディオ機能等を構成する部品を、メガネのテンプル部分及びフレーム部分に振り分け埋設したメガネ型音響・通信機器に関するものである。
【背景技術】
【０００２】
送受話装置、難聴者用聴覚補助器、音響装置等の音響・通信機器であって、骨伝導スピーカを利用したものとして、メガネに組み込んだり、あるいは、メガネ型に構成したものが知られている。【０００３】
例えば、メガネのつる先端部に骨伝導スピーカ又は骨伝導マイクを取り付けた送受話装置（特開２００１−３２０７９０号公報の図３、特開２００５−１５１２９２号公報）や、骨伝導スピーカをメガネのつるの端部に組み込んだ骨伝導ヘッドセット（特開２００３−１８６８３号公報の図１０）等が提唱されている。【０００４】
【特許文献１】特開２００１−３２０７９０号公報
【特許文献２】特開２００３−１８６８３号公報
【特許文献３】特開２００５−１５１２９２号公報
【発明の開示】
【発明が解決しようとする課題】
【０００５】
上記従来の音響・通信機器は、メガネ型とはいっても、構成部品がメガネに露出状態にて取り付けられるものが多く、どうしても目立ち、外観上違和感を惹起することは否めない。特開２００３−１８６８３号公報の図１０には、部品をメガネのつるの端部に組み込む例が示されているが、その場合に組み込まれるのは骨伝導スピーカだけである。【０００６】
そこで本発明は、メガネのフレーム及びテンプルを利用し、その限られたスペース内を有効利用して、複数の部品を露出させることなく振り分け埋設することにより、外観上の違和感をなくしたメガネ型音響・通信機器を提供することを課題とする。
【課題を解決するための手段】
【０００７】
上記課題を解決するための請求項１に記載の発明は、フレームと、ヒンジを介して前記フレームの両端部に取り付けられる一対のテンプルとから成り、前記フレームの両端部にはそれぞれプレート電極が配置され、前記フレーム内に、その一端部のプレート電極と他端部のプレート電極を結ぶリード線が埋設され、前記各テンプル内には、スピーカ、アンプ、バッテリー等の音響・通信機器を構成する部品が振り分けられて埋設され、前記各テンプルの前記フレーム側端面に、前記テンプルが前記フレームに対して直交状態にあるときに前記プレート電極に当接するロッド電極が突設され、前記各ロッド電極の一部は前記テンプル内に埋入され、その埋入端部が、前記テンプル内においてそこに埋設されている前記部品に接続され、以て、一方の前記テンプル内に配置されている部品と他方の前記テンプル内に配置されている部品とが、電気的に接続可能にされたことを特徴とするメガネ型音響・通信機器である。【０００８】
好ましい実施態様においては、前記ロッド電極は、前記テンプルに対して長さ方向に移動可能に埋設され、前記ロッド電極の前記テンプル内埋入部分は、前記テンプルの端面に穿設されて弾性材が内装された差込孔内に挿入されて、常時前記弾性材によって外方向に付勢される。通例、前記弾性材はスプリングであり、また、前記ロッド電極の先端は半球状にされる。【０００９】
好ましくは、前記テンプルは、前記ヒンジを介して前記フレームに着脱自在にされ、また、前記テンプルのフレーム側端部の外側面が延長されてカバー部が形成される。【００１０】
例えば、前記ヒンジは２つの部分から構成され、その一方部が前記フレームに一体に形成され、その他方部が前記テンプルに一体に形成され、前記一方部と前記他方部は部分的に重合可能で、その重合部分にネジ込まれた軸ネジによって相互に回転可能に結合され、前記軸ネジを外すことによって前記テンプルが前記フレームから分離可能となる。
【発明の効果】
【００１１】
本発明に係るメガネ型音響・通信機器は、機器を構成する複数の部品が、メガネのフレーム及び２本のテンプルに適宜振り分けられて埋設され、一方のテンプルに埋設された部品と他方のテンプルに埋設された部品は、テンプルをフレームに対し直交状態にした際に、ロッド電極がプレート電極に接触することにより、フレーム内を通るリード線を介して電気的に接続される構成のため、限られたスペースに効率よく複数の部品が組み込まれ、しかも、部品が露出しないので、違和感のない外観とすることができ、抵抗なく使用できる効果がある。【００１２】
また、テンプルは、ヒンジを介してフレームから分離自在にすることにより、テンプルの付け替えが容易となり、テンプルのデザインに制約がなく、好みのデザインのテンプルを選択することが可能となる。【００１３】
更に、送受話装置、補聴器、オーディオ装置その他種々の音響・通信機器に利用可能という効果がある。
【発明を実施するための最良の形態】
【００１４】
本発明を実施するための最良の形態について、添付図面に依拠して説明する。【００１５】
本発明に係るメガネ型通信機は、フレーム１と、ヒンジ２を介してフレーム１に取り付けられるテンプル３、４とから成り、これらの基本的構成は、一般のメガネと同じである。ヒンジ２は、直接フレーム１に取り付ける場合と、フレーム１から出るヨロイ部（図示していない）に取り付ける場合とがある。【００１６】
フレーム１内には、その一端から他端に至る１本又は複数本のリード線５、５ａが埋設され、リード線５、５ａの端部はそれぞれ、表面がフレーム１の端部に露出するように設置されるプレート電極６、６ａに接続される。かくして、フレーム１の一端から他端に通電可能となる。【００１７】
テンプル３、４のフレーム１側端面には、プレート電極６、６ａに対応するロッド電極７、８が設置される。ロッド電極７、８は棒状であって、好ましくは、プレート電極６、６ａに接触することになるその先端が半球状にされる。ロッド電極７、８は、その一半部がテンプル３、４の前端面からテンプル３、４内に埋入される。【００１８】
図示した例では、プレート電極６、６ａ及びロッド電極７、８は、フレーム１の各端においてそれぞれ２つ宛設けてあるが、より多く、例えば６極設けることもある。【００１９】
好ましくは、ロッド電極７、８は、その一半部がテンプル３、４の前端面に形成された差込孔９内にそれぞれ摺動可能に挿入され、他半部が差込孔９から突出する状態に設置される。その場合、差込孔９内の奥部には押しバネ１１や弾性ブロック等の弾性材が収納され、ロッド電極７、８は、常時押しバネ１１等によって、差込孔９、１０から押し出される方向に付勢される。従って、ロッド電極７、８は、フレーム１に対してテンプル３、４を直交状態にすることにより、押しバネ１１等に抗して若干差込孔９内に押し込まれるが、フレーム１に対してテンプル３、４を回動して平行状態にするに従い、ロッド電極７、８は、押しバネ１１等の作用で直ちに元の突出状態に復帰する。【００２０】
このような構成とした場合は、フレーム１に対してテンプル３、４を回動する都度、プレート電極６、６ａはロッド電極７、８にこすられ、各電極に付着している汚れが落とされるので、汚れが原因で接触不良を起こすことはない。また、ロッド電極７、８は、押しバネ１１等の作用で、プレート電極６、６に対して直角方向に、且つ、適度な接触圧を保ちながら接触することが可能となる。【００２１】
ロッド電極７、８の差込孔９内埋入端からはリード線１２が出され、リード線１２は、押しバネ１１等を通って差込孔９の底から更に内部に引き込まれ、後述するテンプル３、４内に埋設されているアンプやバッテリー等の埋設部品１３に接続される。【００２２】
ヒンジ２は、一般のメガネと同様の構成とすることができる。例えば、ヒンジ２は、２つの部分から構成され、その一方部１５がフレーム１に一体に形成され、その他方部１６がテンプル３、４に一体に形成され、一方部１５と他方部１６は部分的に重合可能にされる。そして、その重合部分にネジ込まれた軸ネジ１７によって相互に回転可能に結合され、軸ネジ１７を外すことによって一方部１５と他方部１６が離れ、以てテンプル３、４がフレーム１から分離可能となる。【００２３】
テンプル３、４のフレーム１からの分離をより簡単に行わせるために、軸ネジ１７を用いない公知の構造を採用することもできる。例えば、テンプルの端部に設けた球軸をヨロイ部（フレーム）に設けた軸受け溝部に嵌合させる方法（特開２００１−１１７０５３号公報）、ヨロイ部側の上下面に設けた凹部にテンプル側端部に設けた挟みバネ板に形成した凸部を係合させる方法（実開平７−３４４３０号公報、実用新案登録第３０２４７１０号公報等）、あるいは、第１部分と第２部分の互いに係合する２つの部分から成っていて、第１部分に対して第２部分をひねることにより簡単に係脱できるワンタッチジョイント式ヒンジ等を用いることもできる。【００２４】
なお、ヒンジ２及び各電極６、６ａ、７、８が露出することを避けるために、テンプル３、４の外側面に薄手のカバー部１８を延設し、その部分が隠れるようにすることが好ましい。【００２５】
図４及び図５は、振り分け埋設される部品の例を示すものである。図４に示す例では、一方のテンプル３に、電話機、再生機、無線機等の本体２１が有線接続され、当該テンプル３に、振動面を露出させた骨伝導スピーカ２２と、これを駆動するアンプ２４と、電源となるバッテリー２６とが組み込まれる。また、他方のテンプル４には、振動面を露出させた骨伝導スピーカ２３と、これを駆動するアンプ２５とが組み込まれ、このテンプル４側のアンプ２５は、各電極６、６ａ、７、８とフレーム１内のリード線５、５ａを介し、テンプル３側のバッテリー２６に接続される。【００２６】
更に、必要に応じ、フレーム１にマイクロホン２７が組み込まれることもある。マイクロホン２７は、フレーム１内において、リード線５、５ａに接続される。マイクロホン２７としては、骨伝導マイクを用いることができる。【００２７】
図５に示す例では、一方のテンプル３に骨伝導スピーカ２２、アンプ（電気回路）２４及びバッテリー２６が組み込まれ、他方のテンプル４には、骨伝導スピーカ２３、アンプ（電気回路）２５及びブルートゥース２８が組み込まれ、ブルートゥース２８を介して、外部の電話機、再生機、無線機等の本体２１と無線にて接続される。この場合、一方の骨伝導スピーカ２３に代えて、骨伝導マイク２９を配置することもできる。その場合は、フレーム１にマイクロホン２７を設置する必要はない。【００２８】
部品の組み込み例は他にも種々考えられるが、いずれの場合にも、限られた設置スペースに多くの部品を無駄なく効率よく、且つ、外観を損なうことなく組み込むことができる。【００２９】
そして、いずれの実施形態においても、本機器を通常のメガネと同様にして装着すると、テンプル３、４がヒンジ２を介して回動し、フレーム１に対して直交状態となるが、その直交状態となった際、ロッド電極７、８の先端がプレート電極６、６ａに接触状態となる。ロッド電極７、８がテンプル３、４の端面に対して出没可能であるときは、ロッド電極７、８のプレート電極６、６ａに対する接触は無理なく行われ、且つ、ロッド電極７、８は、押しバネ１１等の作用で常時プレート電極６、６ａに適圧にて押し付けられるので、接触不良を起こすことがない。【００３０】
かくして、フレーム１内のリード線５、５ａを介し、一方のテンプル３内の部品と他方のテンプル内の部品が電気的に接続され、所与の機能を果たす。【００３１】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００３２】
【図１】本発明に係る音響・通信機器の一実施形態の要部斜視図である（非使用時）。
【図２】本発明に係る音響・通信機器の一実施形態の要部斜視図である（使用時）。
【図３】本発明に係る音響・通信機器の一実施形態における電極の接触関係を示す図である。
【図４】本発明に係る音響・通信機器の一実施形態における部品配置例を示す図である。
【図５】本発明に係る音響・通信機器の他の実施形態における部品配置例を示す図である。
【図１】
2007099707.tif 000003
【図２】
2007099707.tif 000004
【図３】
2007099707.tif 000005
【図４】
2007099707.tif 000006
【図５】
2007099707.tif 000007
【国際調査報告】
2007099707.tif 000008
2007099707.tif 000009
2007099707.tif 000010
2007099707.tif 000011